(57)【要約】【課題】より激しい水流や大きな音の発生を可能とし、魚に強くアピールでき、かつ迷彩効果を発現して魚の誘引効果を長時間持続できるルアーを提供する。【解決手段】先端側から順に、前部２と、中間部３、後部４とを含み、これらが相互に分かれたルアー本体５と、ルアー本体内にルアー本体の長手方向に沿って挿入された軸部材６と、前部の先端に固定された第１プロペラ７と、後部の後端に固定された第２プロペラ８と、を含み、前部および後部は、軸部材の周りを回転可能であり、前部側から、水流を受けて第１プロペラおよび前部が回転した時、第２プロペラおよび後部が第１プロペラの回転方向とは逆の方向に回転することを特徴とするルアー。【選択図】  図５
2011087533.tif 000002
【特許請求の範囲】
【請求項１】
先端側から順に、前部と、中間部と、後部とを含むルアー本体と、
前記ルアー本体内に前記ルアー本体の長手方向に沿って挿入された軸部材と、
前記前部の先端に固定された第１プロペラと、
前記後部の後端に固定された第２プロペラと、を含み、
前記ルアー本体は、前記前部と、前記中間部と、前記後部とに分割されており、
前記前部および前記後部は、前記軸部材の周りを回転可能であり、
前記前部側から水流を受けて前記第１プロペラおよび前記前部が回転した時、前記第２プロペラおよび前記後部が前記第１プロペラの回転方向とは逆方向に回転することを特徴とするルアー。
【請求項２】
前記中間部は、前記軸部材の周りを回転不能に前記軸部材に固定されている請求項１に記載のルアー。
【請求項３】
前記ルアーは水に浮く請求項１または２に記載のルアー。
【請求項４】
前記前部の外表面に、その旋回方向が前記第１プロペラの回転方向と逆方向の突条が、前記前部の第１プロペラ側から前記中間部側に向かって形成されている請求項１〜３のいずれかの項に記載のルアー。
【請求項５】
前記後部の外表面に、その旋回方向が前記第２プロペラの回転方向と逆方向の突条が、前記後部の中間部側から第２プロペラ側に向かって形成されている請求項１〜４のいずれかの項に記載のルアー。
【発明の詳細な説明】
【技術分野】
【０００１】
本発明は、ルアーに関する。
【背景技術】
【０００２】
近年、木製やプラスチック製のルアー（疑似餌）を用いたルアーフィッシングが盛んに行われている。ルアーフィッシングでは、対象魚の種類等に応じて種々のルアーが使用されている。
【０００３】
上記ルアーとしては、ルアー本体の後方側端部および／または前方側端部に挿入された軸部にプロペラが回転自在に取り付けられたルアーがある（例えば、特許文献１、特許文献２等参照）。これらのルアーは、スイッシャータイプのルアーと呼ばれ、プロペラを１個有するルアーはシングルスイッシャータイプ、２個有するルアーはダブルスイッシャータイプと呼ばれている。
【０００４】
特許文献１または特許文献２に開示されたルアーを、水中で釣り糸を巻き取る等して泳動させると、プロペラが水流を受けて回転する。これらの文献に記載されたルアーによれば、プロペラの回転により水流や音が発生するので、魚の興味を引くことができ、集魚効果を高めることがきる。
【先行技術文献】
【特許文献】
【０００５】
【特許文献１】特開２００５−２６１３３５号公報
【特許文献２】特開２００２−６５１１８号公報
【発明の概要】
【発明が解決しようとする課題】
【０００６】
上記のとおり、魚は、水流や音により好奇心が刺激されて、その発生源に誘引される。水流や音の発生源が何であるかがわからない場合、発生源のより近くまで魚は誘引される。
【０００７】
しかし、特許文献１または特許文献２に開示された魚型ルアーによって引き起こされる、水流や音は、魚の好奇心を刺激するという点で未だ不十分であった。また、水流や音の発生源が何であるかが分かりにくいという迷彩効果を発現することにより魚の誘引効果を長時間持続できるルアーは未だ提供されていない。
【０００８】
本発明では、より激しい水流や大きな音の発生を可能とし、魚に強くアピールでき、かつ上記迷彩効果を発現して魚の誘引効果を長時間持続できるルアーを提供する。
【課題を解決するための手段】
【０００９】
本発明のルアーは、
先端側から順に、前部と、中間部と、後部とを含むルアー本体と、
前記ルアー本体内に前記ルアー本体の長手方向に沿って挿入された軸部材と、
前記前部の先端に固定された第１プロペラと、
前記後部の後端に固定された第２プロペラと、を含み、
前記ルアー本体は、前記前部と、前記中間部と、前記後部とに分割されており、
前記前部および前記後部は、前記軸部材の周りを回転可能であり、
前記前部側から水流を受けて前記第１プロペラおよび前記前部が回転した時、前記第２プロペラおよび前記後部が前記第１プロペラの回転方向とは逆方向に回転することを特徴とする。
【発明の効果】
【００１０】
本発明のルアーは、より激しい水流や大きな音の発生を可能とし、魚に強くアピールでき、かつ上記迷彩効果を発現して魚の誘引効果を長時間持続できる。
【図面の簡単な説明】
【００１１】
【図１】図１は、本発明のルアーの一例の正面図である。
【図２】図２は、図１に示されたルアーの上面図である。
【図３】図３は、図１に示されたルアーのIII-III'部分断面図である。
【図４】図４は、図１に示されたルアーの斜視図である。
【図５】図５は、図１に示されたルアーの他の斜視図である。
【図６】図６は、図２に示されたルアーの一部拡大図である。
【図７】図７は、図２に示されたルアーの別の一部拡大図である。
【図８】図８は、本発明のルアーの他の一例の正面図である。
【図９】図９は、図８に示されたルアーの上面図である。
【図１０】図１０は、本発明のルアーのさらに別の一例の正面図である。
【図１１】図１１は、図１０に示されたルアーの上面図である。
【図１２】図１２は、本発明のルアーのさらに別の一例の正面図である。
【図１３】図１３は、図１２に示されたルアーの上面図である。
【発明を実施するための形態】
【００１２】
本発明のルアーでは、前部の先端に第１プロペラが固定され、後部の後端に第２プロペラが固定されている。そのため、第１プロペラが回転すれば前部も第１プロペラと同方向に回転し、第２プロペラが回転すれば後部も第２プロペラと同方向に回転する。そして、第２プロペラは、第１プロペラの回転方向とは逆方向に回転する。故に、本発明のルアーでは、ルアー本体の周囲に乱水流が生み出され、激しい水流および大きな音の発生を可能とする。
【００１３】
上記のとおり、魚は、水流等を感じるとその発生源に誘引される性質を有しているが、今まで感じた事もない水流等を感じると、より一層強く誘引される。本発明のルアーの周囲には魚が今まで感じた事がないような上記乱水流が発生するので、魚は、本発明のルアーに強く誘引されるものと推察される。
【００１４】
また、ルアー本体の周囲では水流が複雑に絡み合っている。そのため、当該水流で反射した光の反射方向も様々な方向となる。この光の乱反射は、魚を誘引するだけでなく、ルアーの実体を分かりづらくして水流や音の発生源が何であるかを分かりにくくするという迷彩効果をもたらす。
【００１５】
本発明のルアーの好ましい一例では、中間部が、軸部材の周りを回転不能に軸部材に固定されている。この場合、釣針がルアー本体の下方に垂れ下がった状態を安定して保持できる。
【００１６】
本発明のルアーの好ましい一例は、水に浮く。この場合、水面でルアーを泳がせることができる。このルアーを水面で泳がせると、第１プロペラおよび第２プロペラの回転に伴い、第１プロペラおよび第２プロペラの回転により引き起こされた乱水流中に空気が巻き込まれる。そのため、ルアーの周囲に多量の泡を発生させることができ、この多量の泡の存在と、水や泡で反射した様々な方向の光（乱反射光）とによって、より高い迷彩効果が得られ、魚の誘引効果をより長時間持続できる。また、前部および後部が回転に伴い水面と衝突するので、ルアー本体は回転せずプロペラだけが回転する従来のルアーよりも大きな水音の発生が可能であり、魚により強くアピールできる。
【００１７】
本発明のルアーの好ましい一例では、前部の外表面に、その旋回方向（巻き方向）が第１プロペラの回転方向と逆方向の突条（フィン）が、前部の第１プロペラ側から中間部側に向かって形成されている。この場合、水流が前部の突条にも衝突するので、前部の外表面に突条が形成されていない場合に比べて、第１プロペラおよび前部の回転速度が向上し、ルアー１の周囲により複雑な乱水流が発生し得る。ルアーが水面を泳ぐ場合は、より大きな水音の発生も可能となり、泡立ちの程度も大きくなる。
【００１８】
本発明のルアーの好ましい一例では、後部の外表面に、その旋回方向（巻き方向）が第２プロペラの回転方向と逆方向の突条が、後部の中間部側から第２プロペラ側に向かって形成されている。この場合、水流が後部の突条にも衝突するので、後部の外表面に突条が形成されていない場合に比べて、第２プロペラおよび後部の回転速度が向上し、ルアー１の周囲により複雑な乱水流が発生し得る。ルアーが水面を泳ぐ場合は、より大きな水音の発生も可能となり、泡立ちの程度も大きくなる。
【００１９】
以下、本発明のルアーの一例について、図面を参照しながら説明する。
【００２０】
図１は、本発明のルアーの一例の正面図であり、図２は、図１に示されたルアーの上面図である。図３は、図１のIII-III'部分断面図である。図３において、軸部材は断面で表しておらず、第１プロペラのブレード、第２プロペラのブレード、接続リング、環状連結部材および釣針は省略している。図４は、図１に示されたルアーの斜視図であり、図５は、図１に示されたルアーの他の斜視図である。図６は、図２に示されたルアーの一部拡大図であり、図７は、図２に示されたルアーの他の一部拡大図である。
【００２１】
尚、図１の紙面上側（釣針から遠い側）を「上側」、紙面下側を「下側」と呼ぶことにする。また、ルアーの先端側（釣糸が連結される側）を「前方側」、ルアーの後端側を「後方側」と呼ぶ場合もある。図２〜図１３を用いた説明においても、図１に示された状態を基準として、上下、前後の位置関係を説明する。
【００２２】
図１〜図５に示されるように、ルアー１は、ルアー本体５と、軸部材６（図３参照）と、第１プロペラ７と、第２プロペラ８と、釣針９とを含んでいる。釣針９は、例えば、接続リング１０および環状連結部材１１を介してルアー本体５に結合されている。釣針９のルアー本体５への固定方法は、図１等に記載された方法に限定されず、従来から公知の方法を採用できる。
【００２３】
ルアー本体５は、その先端側から順に、前部２と、中間部３と、後部４とを含む。これらは別々に成型されたものであり、相互に分かれている。ルアー本体５内には、ルアー本体５の長手方向に沿って軸部材６が挿入され、軸部材６はルアー本体５を貫通している。ルアー本体５から突き出た軸部材６の両端部は各々屈曲されている。そのため、軸部材６から、前部２と後部４とが抜け落ちないようになっており、前部２と後部４の軸部材６の長手方向への可動範囲が規制されている。ルアー本体５から突き出た軸部材６の両端部のうちの、ルアー１の先端側の端部は、ライン（釣糸）を連結するためのライン連結部６ａとして機能させることができる（図３参照）。
【００２４】
より詳細に説明すると、図３に示されるように、前部２、中間部３、および後部４は各々、軸部材６を貫通可能に受容する挿入孔２ａ、３ａ、４ａを有している。軸部材６のうちの前部２に挿入されている部分６２の外径は、挿入孔２ａの内径よりも小さい。また、軸部材６のうちの後部４に挿入されている部分６４の外径は、挿入孔４ａの内径よりも小さい。故に、前部２および後部４は、各々軸部材６の周りを回転可能である。
【００２５】
一方、中間部３の挿入孔３ａと、軸部材６のうちの挿入孔３ａに挿入されている部分６３は、共に屈曲した部分を有しており、中間部３は軸部材６に固定されている。中間部３は、軸部材６の周りを左右のいずれの方向にも回転できない。故に、釣針９がルアー本体５の下方に垂れ下がった状態を安定して保持できる。例えば、中間部３の内部のうちの釣針９の近くに錘１２を内蔵させれば、釣針９がルアー本体５の下方に垂れ下がった状態の保持を、より安定化できる。
【００２６】
図３に示した例では、軸部材６には、リベット１３ａ〜１３ｄ、ビーズ１４ａ、１４ｂが装着されている。リベット１３ａ〜１３ｄの筒状部は、挿入孔２ａ、４ａ内に例えば圧入されており、前部２または後部４に固定されている。ゆえに、リベット１３ａ〜１３ｄの筒状部は、挿入孔２ａ、４ａ内において回転できない。
【００２７】
一方、リベット１３ａ〜１３ｄの内径およびビーズ１４ａ、１４ｂの内径は、軸部材６の外径よりも大きい。そのため、筒状リベット１３ａ〜１３ｄおよび球状リベット１４ａ、１４ｂは、軸部材６の周りを回転可能である。
【００２８】
ルアー１を、水中または水面で泳動させると、前部２は水流を受けてルアー１の後方側に押し付けられながら回転する。前部２と中間部３の間にビーズ１４ａが配置されているので、前部２はビーズ１４ａに押し付けられながら回転するが、ビーズ１４ａが球状であるので、前部２とビーズ１４との接触面積は、例えば、前部２が中間部３に直接接する場合よりも小さい。故に、前部２と中間部３の間にビーズ１４ａが配置されていることで、前部２の回転がスムーズかつ高速に行われる。
【００２９】
後部４の挿入孔４ａの後方側に固定されたリベット１３ｄと、軸部材６の後方側の端部（屈曲した部分）との間にもビーズ１４ｂが配置されているので、後部４の回転もスムーズかつ高速に行われる。
【００３０】
軸部材６、リベット１３ａ〜１３ｄ、およびビーズ１４ａ、１４ｂの材料について特に制限はないが、例えば、アルミニウム、ステンレス等の金属材料等が好ましい。前部２および後部４の回転に伴う摩耗を抑制する観点から、軸部材６およびリベット１３ａ〜１３ｄは伴に金属材料からなると好ましい。また、リベット１３ｂ、１３ｄに接するビーズ１４ａ、１４ｂも、回転速度の向上の観点から、金属材料からなると好ましい。
【００３１】
ルアー１は、水に投入された際、水に浮くものであってもよい。例えば、ルアー本体５の内部の一部が中空になっており、ルアー１の比重が水の比重１．０よりも小さければ、ルアー１は水に浮く。ルアー１が水に浮く場合、水面を泳がせることができ、第１プロペラ７および前部２と、第２プロペラ８および後部４の回転により引き起こされた乱水流中に、空気を取り込むことができ、ルアー１の周囲に多量の泡を発生させることができる。ルアー１は多量の泡に包囲されることになるので、ルアー１は、この多量の泡の存在と、水や泡で反射した様々な方向の光（乱反射光）とによって、高い迷彩効果を発現し、魚の誘引効果を長時間持続できる。また、前部２および後部４が回転に伴い水面と衝突するので、ルアー本体は回転せずプロペラだけが回転する従来のルアーよりも大きな水音の発生が可能であり、魚により強くアピールできる。
【００３２】
ルアー本体５の材料について特に制限はないが、例えば、ＡＢＳ樹脂、ポリスチレン樹脂、ポリカーボネート樹脂、ポリメタクリル酸メチル樹脂、ＡＳ樹脂等の硬質合成樹脂等が、好適に用いられる。
【００３３】
ルアー本体５の先端、すなわち、前部２の先端には、第１プロペラ７が固定されている。故に、第１プロペラ７が軸部材６の周りに回転すれば、前部２も軸部材６の周りに回転する。第１プロペラ７は、リベット１３と一体化したものであってもよいし、別体であってもよい。
【００３４】
図６に示されるように、第１プロペラは、周方向に１８０°間隔で配置された２つのブレード７ａ，７ｂを含む。ブレード７ａ，７ｂは、各々、軸部材６の長手方向と直交する面Ｙに対して前部２側に傾斜している。そして、第１プロペラ７がルアー１の先端側から見て左周り（反時計周り）するように、ブレード７ａ，７ｂは、各々所定の迎え角を有して傾斜している。
【００３５】
具体的には、図６に示されるように、ブレード７ａの水流を受ける面７１のうちの上側７１ａが下側７１ｂよりも前方側に配置されるように、面７１が傾いており、ブレード７ｂの水流を受ける面７２のうちの上側７２ａが下側７２ｂよりも後方側に配置されるように、面７２が傾いている。
【００３６】
一方、ルアー本体５の後端、すなわち、後部２の後端には、第２プロペラ８が固定されている。故に、第２プロペラが軸部材６の周りに回転すれば、後部４も軸部材６の周りに回転する。第２プロペラ８は、リベット１３と一体化したものであってもよいし、別体であってもよい。
【００３７】
図７に示されるように、第２プロペラ８は、周方向に１８０°間隔で配置された２つのブレード８ａ，８ｂを含む。ブレード８ａ，８ｂは、各々、軸部材６の長手方向と直交する面Ｙに対して後部４よりも、よりルアー１の後方側に傾斜している。そして、第２プロペラ８がルアー１の先端側からみて右周り（時計周り）するように、ブレード８ａ，８ｂは各々所定の迎え角を有して傾いている。
【００３８】
具体的には、ブレード８ａの水流を受ける面８１のうちの上側８１ａが下側８１ｂよりも後方側に配置されるように、面８１が傾いており、ブレード８ｂの水流を受ける面８２のうちの上側８２ａが下側８２ｂよりも前方側に配置されるように、面８２が傾いている。
【００３９】
上記第１プロペラ７および第２プロペラ８を備えたルアー１が、前部２側から、例えば、軸部材６の長手方向と同方向の水流を受けると、第１プロペラ７および前部２は、ルアー１の先端側から見て軸部材６の周りを左回転し、第２プロペラ８および後部４は、ルアー１の先端側から見て軸部材６の周りを右回転する。そのため、ルアー１を泳動させると、ルアー本体５の周囲に乱水流が生み出され、激しい水流や大きな音が発生する。また、第１プロペラ７と第２プロペラ８が相互に逆回転するので、ルアー１が左右のいずれかの方向に傾くことが抑制され、釣針がルアー本体の下方に垂れ下がった状態を安定して保持できる。また、釣糸を引く方向に沿ってルアー１を真っ直ぐに泳がすことが容易に行える。
【００４０】
前部２の外表面には、突条２ｂが、前部２の第１プロペラ７側から中間部３側に向かって形成されている。突条２ｂの旋回方向は、第１プロペラ７の回転方向と逆方向である。この突条２ｂは、第１プロペラ７が左回転することによりルアー１の周囲に生じる左回転の水流や、ルアー１の前方側から流れてくる水流等が衝突し、前部２が第１プロペラ７と同方向に回転することを促進するように形成されている。そのため、前部２の外表面に上記突条２ｂが形成されていると、前部２および第１プロペラの回転速度が向上する。また、さらに複雑な乱水流がルアー１の周囲に生じるので、迷彩効果も向上する。ルアー１が水面を泳ぐごとができる場合は、より大きな水音の発生も可能となり、高速回転により泡立ちの程度も大きくなる。
【００４１】
後部４の外表面には、その旋回方向が第２プロペラ８の回転方向と逆方向の突条４ｂが、後部４の中間部３側から第２プロペラ８側に向かって形成されている。突条４ｂの旋回方向は、突条２ｂの旋回方向の逆方向である。突条２ｂは、ルアー１の前方側から流れてくる水流等が衝突し、後部４が第２プロペラと同方向に回転することを促進するように形成されている。そのため、後部４の外表面に上記突条４ｂが形成されていると、後部４および第２プロペラの回転速度が向上する。また、さらに複雑な乱水流が生じるので、迷彩効果も向上する。ルアー１が水面を泳ぐごとができる場合は、より大きな水音の発生も可能となり、高速回転により泡立ちの程度も大きくなる。
【００４２】
図６に示されるように、突条２ｂのうちの前部２の先端側の部分２２は、直線的であるか、または部分２３よりも緩やかに湾曲している。突条２ｂのうちの部分２２よりも後方側に形成された部分２３は螺旋状であり、部分２２に繋がっている。しかし、突状２ｂの形状については、水流を効率的に受けて第１プロペラ７および前部２の回転速度を向上させることができる限り、図６に示された例に限定されない。
【００４３】
図７に示されるように、突条４ｂのうち後部４の先端側の部分４２は、直線的であるか、または部分４３よりも緩やかに湾曲している。部分４２よりも後方側に形成された部分４３は螺旋状であり部分４２に繋がっている。しかし、突状４ｂの形状については、水流を効率的に受けて第２プロペラ８および後部４の回転速度を向上させることができる限り、図７に示された例に限定されない。
【００４４】
突条２ｂ、４ｂの高さについては、大きければ大きいほど、大きな水流を起こし、ルアー１が水面を泳ぐ場合は泡を発生させやすい点で好ましいが、突条２ｂの高さが高くなることにより前部２が大きくなると、対象魚の釣針９へのかかり（フッキング）が悪くなり、空気または水の抵抗も大きくなる。故に、突条２ｂの高さは、回転速度の向上と良好な針がかりとを両立するべく、適宜決定すればよい。
【００４５】
前部２には、突条２ｂが２本形成されているが、突条２ｂの本数については、本発明の効果が損なわれない限り制限はなく１本でもよいし３本以上であってもよい。
【００４６】
後部４にも、突条４ｂが２本形成されているが、突条４ｂの本数については、本発明の効果が損なわれない限り制限はなく１本でもよいし３本以上であってもよい。
【００４７】
尚、本実施形態において、第１プロペラ７および前部２は、前部２側から水流を受けた場合、前部２側から見て、左回転するように形成され、第２プロペラ８および後部４は右回転するようになっている。しかし、前部２側から見て、第１プロペラ７および前部２が右回転し、第２プロペラ８および後部４が左回転するように、各々、ブレードの迎え角と突条２ｂ，４ｂの旋回方向が調整されていてもよい。
【００４８】
第１プロペラ７および第２プロペラ８の材料については、例えば、アルミニウム、ステンレス等の金属材料等が挙げられる。第１プロペラ７および第２プロペラ８の大きさや形状等については、回転速度の向上と良好な針がかりとを両立するべく、適宜決定すればよい。
【００４９】
ルアー１は、前部２の内部に設けられた錘１５をさらに備えていてもよい。また、ルアー１は、図示しない錘がさらに設けられていてもよい。錘の位置や、錘の重さ等については、用途に応じて適宜選択すればよい。
【００５０】
また、図１〜図７を用いて説明した本発明のルアー１の一例では、前部２および後部４の双方の外表面に突条２ｂ、４ｂが形成されているが、図８および図９に示されるように、前部２の外表面にのみ突条２ｂが形成されていてもよいし、図１０および図１１に示されるように、後部４の外表面にのみ突条４ｂが形成されていてもよいし、図１２および図１３に示されるように、前部２および後部４のいずれの外表面に突条が形成されていなくてもよい。
【００５１】
また、一つのプロペラが備えるブレードの数について、２個に限定されず、３個以上であってもよい。
【産業上の利用可能性】
【００５２】
本発明のルアーは、より激しい水流および大きな水音の発生を可能とし、魚に強くアピールできる。また、本発明のルアーは、迷彩効果を発現して魚の誘引効果を長時間持続できる。よって、本発明のルアーは、ブラックバス等の小魚を餌とする肉食魚用のルアーとして好適に使用できる。
【符号の説明】
【００５３】
１        ルアー
２        前部
２ｂ      突条
３        中間部
４        後部
４ｂ      突条
５        ルアー本体
６        軸部材
７        第１プロペラ
８        第２プロペラ
９        釣針
【図１】
2011087533.tif 000003
【図２】
2011087533.tif 000004
【図３】
2011087533.tif 000005
【図４】
2011087533.tif 000006
【図５】
2011087533.tif 000007
【図６】
2011087533.tif 000008
【図７】
2011087533.tif 000009
【図８】
2011087533.tif 000010
【図９】
2011087533.tif 000011
【図１０】
2011087533.tif 000012
【図１１】
2011087533.tif 000013
【図１２】
2011087533.tif 000014
【図１３】
2011087533.tif 000015